(57)【特許請求の範囲】
【請求項１】
母線および母線断路器を有する母線ユニットと、遮断器および変流器を有するＣＢユニットと、線路断路器および線路接地開閉器を有する線路ユニットと、母線を有する分岐母線ユニットとを備えたフィーダーユニットが横方向に２回線並べて配置され、前記分岐母線ユニット間が線路切換用の断路器を有する線路切換ユニットにより接続されて構成される線路バイパス用のガス絶縁開閉装置において、
前記ＣＢユニットの前面側には、下段に前記母線ユニットが接続され、上段に前記分岐母線ユニットが接続されるとともに、前記分岐母線ユニット間に前記線路切換ユニットが接続され、後面側には、前記線路ユニットが接続された、
ことを特徴とするガス絶縁開閉装置。
【請求項２】
前記ＣＢユニットは、前記変流器と前記遮断器が金属容器の中央付近に上下に配置され、
前記母線ユニットと前記分岐母線ユニットを介して前記線路切換ユニットにそれぞれ接続される上下に並べられた第１および第２の母線と、前記線路ユニットに接続される第３の母線とが、前記遮断器および前記変流器の前面側および後面側でそれぞれ略平行に配置され、
前記遮断器の前面側に配置される上下に並べられた前記第１および第２の母線は、下段が前記母線ユニットに接続される前記第２の母線で、前記遮断器の下部から直角方向に交差して引き出された導体が接続されるとともに、上段が前記線路切換ユニットに接続される前記第１の母線で、前記遮断器の上部から引き出され、前記遮断器の上部に配置された前記変流器を貫通して直角方向に交差して二方に分岐されて引き出された導体の一方に接続され、
前記遮断器の後面側に配置される前記線路ユニットに接続される前記第３の母線は、前記遮断器の上部から引き出されて分岐された前記導体の他方に接続された、
ことを特徴とする請求項１記載のガス絶縁開閉装置。
【請求項３】
母線側および線路側の遮断器点検用接地開閉器が、前記ＣＢユニットの前記金属容器内の下部で、かつ前記遮断器の前面側の下段の前記第２の母線および後面側の前記第３の母線の下方にそれぞれ配置されたことを特徴とする請求項２記載のガス絶縁開閉装置。
【発明の詳細な説明】
【０００１】
【発明の属する技術分野】
本発明は、発電所、変電所あるいは受電所などの電力用回路に使用される線路バイパス用のガス絶縁開閉装置に関する。
【０００２】
【従来の技術】
線路バイパス用のガス絶縁開閉装置は、母線および母線断路器を有する母線ユニットを前面に配置し、遮断器および変流器を有するＣＢユニットと、線路断路器および線路接地開閉器を有する線路ユニットが接続されて、２回線が横方向に並べて配置され、線路側の回線を１Ｌまたは２Ｌに切換るための線路切換用の断路器を有する線路切換ユニットが線路ユニット間に配置されて構成される。
図３はこの種の従来の線路バイパス用のガス絶縁開閉装置の一例を示すもので、母線ＢＵＳ１および母線断路器ＤＳ１が収納された二つの母線ユニット５１には、遮断器ＣＢ、遮断器点検用接地開閉器ＥＳ１１，ＥＳ１２および変流器ＣＴが収納されたＣＢユニット５３がそれぞれ接続される。
【０００３】
また、ＣＢユニット５３には、線路断路器ＤＳ３および線路接地開閉器ＥＳ２とケーブルヘッドＣＨを収納した線路ユニット５４に分岐される分岐母線ユニット５７が接続される。
二つの分岐母線ユニット５７間には、線路切換用の断路器ＤＳ４を収納した線路切換ユニット５５が接続される。
これらユニット５１，５３，５４，５５，５７は絶縁ガスを封入した金属容器で構成されるとともに、絶縁スペーサでガス区分されて接続され、ベース５９上に配置され、制御盤５８が母線ユニット５１の下方に配置されており、２回線１Ｌ，２Ｌが並べて構成されている。
なお、二つの母線ユニット５１同士は接続母線５６を介して接続される。
【０００４】
ＣＢユニット５３の金属容器は、母管と、この母管に直角方向に交差する三つの分岐管で形成され、前面側が二段で、後面側が一段の分岐管で形成され、前面側の下段の分岐管には母線ユニット５１、後面側の分岐管には分岐母線ユニット５７が接続される。なお、前面側の上段の分岐管には、取り外し可能な蓋が取り付けられる。
【０００５】
その金属容器内に収納される遮断器ＣＢは、金属容器の中心付近に三相が直線または三角形状に配置され、母線ユニット５１と分岐母線ユニット５７にそれぞれ接続される二つの母線７１，７６が、遮断器ＣＢの前面側および後面側でそれぞれ略平行に配置される。前面側の母線７１は、遮断器ＣＢの上部から引き出された導体７４に、その導体７４と直角方向に交差して引き出された導体７３で接続されるとともに、導体７２を介して母線ユニット５１に接続される。後面側の母線７６は、遮断器ＣＢの後方に遮断器ＣＢと略平行に直線または三角形状に配置された変流器ＣＴを貫通して、遮断器ＣＢの下部から直角方向に交差して引き出された導体７５が接続されるとともに、導体７７を介して分岐母線ユニット５７に接続される。
【０００６】
また、二つの遮断器点検用接地開閉器ＥＳ１１，ＥＳ１２は、母線側の遮断器点検用接地開閉器ＥＳ１１は、遮断器ＣＢの前面側の下方に配置され、線路側の遮断器点検用接地開閉器ＥＳ１２は、遮断器ＣＢの後面側の上方に配置される。
【０００７】
【発明が解決しようとする課題】
しかしながら、上記従来の線路バイパス用のガス絶縁開閉装置においては、ＣＢユニット５３と線路ユニット５４との間に、線路切換ユニット５５に分岐される分岐母線ユニット５７が配置されるため、ガス絶縁開閉装置の全長が長くなり、据え付け面積が大きくなる欠点がある。
また、母線側および線路側の遮断器点検用接地開閉器ＥＳ１１，ＥＳ１２が、遮断器ＣＢの前面側の下方と、遮断器ＣＢの後面側の上方にそれぞれ配置されるため、操作装置への引き廻しが複雑となる欠点がある。
【０００８】
そこで本発明は、ガス絶縁開閉装置の全長を短くし、据え付け面積を縮小化することができるガス絶縁開閉装置を提供することを目的とする。
【０００９】
【課題を解決するための手段】
本発明では、母線および母線断路器を有する母線ユニットと、遮断器および変流器を有するＣＢユニットと、線路断路器および線路接地開閉器を有する線路ユニットと、母線を有する分岐母線ユニットとを備えたフィーダーユニットが横方向に２回線並べて配置され、前記分岐母線ユニット間が線路切換用の断路器を有する線路切換ユニットにより接続されて構成される線路バイパス用のガス絶縁開閉装置において、前記ＣＢユニットの前面側には、下段に前記母線ユニットが接続され、上段に前記分岐母線ユニットが接続されるとともに、前記分岐母線ユニット間に前記線路切換ユニットが接続され、後面側には、前記線路ユニットが接続される。
【００１０】
上記のように構成した本発明のガス絶縁開閉装置においては、ＣＢユニットの前面側には、下段に母線ユニットが接続され、上段に分岐母線ユニットが接続されることにより、ガス絶縁開閉装置の全長を短くすることができる。
【００１１】
また、本発明では、前記ＣＢユニットは、前記変流器と前記遮断器が金属容器の中央付近に上下に配置され、前記母線ユニットと前記分岐母線ユニットを介して前記線路切換ユニットにそれぞれ接続される上下に並べられた第１および第２の母線と、前記線路ユニットに接続される第３の母線とが、前記遮断器および前記変流器の前面側および後面側でそれぞれ略平行に配置され、前記遮断器の前面側に配置される上下に並べられた前記第１および第２の母線は、下段が前記母線ユニットに接続される前記第２の母線で、前記遮断器の下部から直角方向に交差して引き出された導体が接続されるとともに、上段が前記線路切換ユニットに接続される前記第１の母線で、前記遮断器の上部から引き出され、前記遮断器の上部に配置された前記変流器を貫通して直角方向に交差して二方に分岐されて引き出された導体の一方に接続され、前記遮断器の後面側に配置される前記線路ユニットに接続される前記第３の母線は、前記遮断器の上部から引き出されて分岐された前記導体の他方に接続されることが好ましい。
【００１２】
このように構成した場合には、遮断器の上部に変流器が一直線上に配置されるとともに、その上部に分岐母線ユニットを介して線路切換ユニットと、線路ユニットとへ分岐する導体を配置して、ＣＢユニット内に収納することにより、ＣＢユニットの金属容器内のスペースを有効に活用して、前面側の上段に線路切換ユニットに接続される分岐母線ユニットを配置することができ、ＣＢユニットの金属容器の径を小さくすることができる。
【００１３】
さらに、本発明では、母線側および線路側の遮断器点検用接地開閉器が、前記ＣＢユニットの前記金属容器内の下部で、かつ前記遮断器の前面側の下段の前記第２の母線および後面側の前記第３の母線の下方にそれぞれ配置されることが好ましい。
【００１４】
このように構成した場合には、母線側および線路側の遮断器点検用接地開閉器がＣＢユニットの下方に並べて配置されるため、操作装置への引き廻しが容易にできるとともに、遮断器点検用接地開閉器が変流器の外側に配置されるため、変流器の特性試験を容易に行うことができる。
【００１５】
【発明の実施の形態】
図１（Ａ）は、本発明の線路バイパス用のガス絶縁開閉装置の実施の形態の一例の側面図および各相の電気的な構成を示す単線結線図を示し、（Ｂ）は平面図を示す。
ＢＵＳ１は母線、ＤＳ１は母線断路器で、母線ＢＵＳ１および母線断路器ＤＳ１が共通の金属容器内に収納されて、母線ユニット６３が構成される。
【００１６】
ＣＢは遮断器、ＥＳ１１およびＥＳ１２はそれぞれ母線側および線路側の遮断器点検用接地開閉器、ＣＴは変流器で、これら遮断器ＣＢ、両接地開閉器ＥＳ１１，ＥＳ１２および変流器ＣＴが共通の金属容器内に収納されて、ＣＢユニット３が構成される。ＤＳ３は線路断路器、ＣＨはケーブルヘッド、ＥＳ２は線路接地開閉器で、これら線路断路器ＤＳ３、ケーブルヘッドＣＨおよび線路接地開閉器ＥＳ２が共通の金属容器内に収納されて、線路ユニット５４が構成される。
また、ＢＵＳ３は母線で、金属容器内に収納されて、分岐母線ユニット５７が構成される。
これらユニット３，６３，５４，５７が接続され、１回線のガス絶縁開閉装置が構成される。
【００１７】
図１（Ｂ）に示すように、上記のように構成された１回線のガス絶縁開閉装置が２台横方向に並べて配置され、両ガス絶縁開閉装置のそれぞれの母線ＢＵＳ１同士が接続母線５６を介して接続されるとともに、分岐母線ユニット５７同士が線路切換ユニット５５を介して接続されて、線路バイパス用のガス絶縁開閉装置が構成される。
なお、線路切換ユニット５５には、線路切換用の断路器ＤＳ４が収納されており、２回線のガス絶縁開閉装置の線路ユニット５４への電気的な切換が行われる。
【００１８】
図２は、ＣＢユニット３の詳細を示すもので、側面の断面図である。
ＣＢユニット３は、金属容器が、母管１１と、この母管１１に直角方向に交差する分岐管１２，１３で、母線ユニット６３および分岐母線ユニット５７側（以下、前面側という）が二段に形成されるとともに、分岐管１４で、線路ユニット５４側（以下、後面側という）が一段に形成される。
前面側の下段の分岐管１３には、母線ユニット６３が接続され、上段の分岐管１２には、線路切換ユニット５５に接続される分岐母線ユニット５７が配置されるとともに、後面側の分岐管１４には、線路ユニット５４が接続される。
【００１９】
ＣＢユニット３と分岐母線ユニット５７および母線ユニット６３とをそれぞれガス区分する絶縁スペーサ２１，２２には、分岐母線ユニット５７および母線ユニット６３とＣＢユニット３を接続する導体２４，２５が、三相が直線または三角形状にそれぞれ配置されて支持される。
導体２５は、その導体２５と直角方向に交差して三相が直線または三角形状に配置された第２の母線３５に接続され、その第２の母線３５は、遮断器ＣＢの下端より直角方向に交差して引き出された導体３０に接続される。
この第２の母線３５は、母管１１の中心付近に三相が直線または三角形状に配置された遮断器ＣＢの前面側で略平行に配置されており、第２の母線３５の下方には、母線側の遮断器点検用接地開閉器ＥＳ１１が配置される。
【００２０】
遮断器ＣＢを介して、その上部から引き出された導体２７は、遮断器ＣＢの上部に三相が直線または三角形状に配置される変流器ＣＴを貫通して、その導体２７と直角方向に交差して配置された分岐導体２６に接続される。分岐導体２６は、その上部で支持碍子３１，３２により母管１１に固定され、遮断器ＣＢの前後に分岐されており、遮断器ＣＢの前面側の上段に略平行に三相が直線または三角形状に配置された第１の母線３４に直角方向に交差して接続されて分岐母線ユニット５７に接続される導体２４に接続されるとともに、遮断器ＣＢの後面側で略平行に三相が直線または三角形状に配置された第３の母線２８に直角方向に交差して接続される。
その第３の母線２８は、直角方向に交差して引き出された導体２９を介して線路ユニット５４に接続される。
【００２１】
絶縁スペーサ２３は、導体２９を支持するとともに、ＣＢユニット３と線路ユニット５４をガス区分する。
第３の母線２８は、その下部で遮断器ＣＢと支持碍子３３により支持され、さらにその下方には、線路側の遮断器点検用接地開閉器ＥＳ１２が配置される。
４０は、ＣＢユニット３の下部に配置された遮断器ＣＢの操作装置である。
【００２２】
かかるガス絶縁開閉装置においては、ＣＢユニット３の前面側には、下段に母線ユニット６３が接続され、上段に分岐母線ユニット５７が接続されることにより、従来のように、ＣＢユニット５３と線路ユニット５４との間に分岐母線ユニット５７を配置するのに比べて、ガス絶縁開閉装置の全長を短くすることができる。
【００２３】
また、遮断器ＣＢの上部に変流器ＣＴが一直線上に配置されるとともに、その上部に分岐母線ユニット５７を介して線路切換ユニット５５と、線路ユニット５４へ分岐する導体２６を配置して、ＣＢユニット３内に収納することにより、ＣＢユニット３の金属容器内のスペースを有効に活用して、ＣＢユニット３の金属容器の前面側の上段に線路切換ユニット５５に接続される分岐母線ユニット５７を配置することができ、ＣＢユニット３の金属容器の径を小さくすることができる。
【００２４】
さらに、母線側および線路側の遮断器点検用接地開閉器ＥＳ１１，ＥＳ１２がＣＢユニット３の下方に並べて配置されるため、操作装置への引き廻しが容易にできるとともに、母線側および線路側の遮断器点検用接地開閉器ＥＳ１１，ＥＳ１２が変流器ＣＴの外側に配置されるため、変流器ＣＴの特性試験を容易に行うことができる。
【００２５】
【発明の効果】
以上説明したように本発明によれば、ＣＢユニットの前面側には、下段に母線ユニットが接続され、上段に分岐母線ユニットが接続されることにより、ガス絶縁開閉装置の全長を短くすることができる。
【００２６】
また、遮断器の上部に変流器が一直線上に配置されるとともに、その上部に分岐母線ユニットを介して線路切換ユニットと、線路ユニットとへ分岐する導体を配置して、ＣＢユニット内に収納した場合には、ＣＢユニットの金属容器内のスペースを有効に活用して、前面側の上段に線路切換ユニットに接続される分岐母線ユニットを配置することができ、ＣＢユニットの金属容器の径を小さくすることができる。
【００２７】
さらに、母線側および線路側の遮断器点検用接地開閉器がＣＢユニットの下方に並べて配置された場合には、操作装置への引き廻しが容易にできるとともに、遮断器点検用接地開閉器が変流器の外側に配置されるため、変流器の特性試験を容易に行うことができる。
【図面の簡単な説明】
【図１】本発明の線路バイパス用のガス絶縁開閉装置の実施の形態の一例を示すもので、（Ａ）は側面図、（Ｂ）は平面図である。
【図２】そのＣＢユニットの詳細を示す図である。
【図３】従来の線路バイパス用のガス絶縁開閉装置の一例を示すもので、（Ａ）は側面図、（Ｂ）は平面図である。
【符号の説明】
ＢＵＳ１  甲母線
ＢＵＳ３  分岐母線
ＣＢ  遮断器
ＣＴ  変流器
ＤＳ１  母線断路器
ＤＳ３  線路断路器
ＤＳ４  線路切換用断路器
ＥＳ１１  母線側遮断器点検用接地開閉器
ＥＳ１２  線路側遮断器点検用接地開閉器
ＥＳ２  線路接地開閉器
３  ＣＢユニット
１１  母管
１２  分岐管
１３  分岐管
１４  分岐管
２６  分岐母線
２７  導体
２８  第３の母線
２９  導体
３０  導体
３４  第１の母線
３５  第２の母線
３６  蓋
４０  遮断器操作装置
５４  線路ユニット
５５  線路切換ユニット
５６  接続母線
５７  分岐母線ユニット
６３  母線ユニット
【図１】
0003728746.tif 000002
【図２】
0003728746.tif 000003
【図３】
0003728746.tif 000004